【手続補正書】
【提出日】平成19年12月18日(2007.12.18)
【手続補正１】
【補正対象書類名】特許請求の範囲
【補正対象項目名】全文
【補正方法】変更
【補正の内容】
【特許請求の範囲】
【請求項１】
磁束発生手段と、前記磁束発生手段からの磁束により発熱する発熱体と、前記磁束発生手段へ電力を供給する電力供給手段と、を有し、前記発熱体の発熱により記録材上の像を加熱する像加熱装置において、
前記磁束発生手段への給電開始から前記発熱体が所定温度に達するまでの待機時において、前記発熱体の昇温特性に応じて前記磁束発生手段へ供給する電力を変更する電力変更手段を有することを特徴とする像加熱装置。
【請求項２】
前記発熱体は装置に着脱可能であり、前記像加熱装置は昇温特性の異なる２つの発熱体を装着可能であることを特徴とする請求項１に記載の像加熱装置。
【請求項３】
前記発熱体の温度を検知する温度検知手段を有し、前記電力変更手段は、前記磁束発生手段への所定電力の給電開始から所定時間経過後における前記温度検知手段の検知結果に応じて前記磁束発生手段に供給する電力を変更することを特徴とする請求項１または２に記載の像加熱装置。
【請求項４】
前記所定時間経過時における前記発熱体の温度が所定温度よりも低い場合は前記磁束発生手段へ供給する電力を前記所定電力よりも大きくし、前記発熱体の温度が所定温度よりも高い場合は前記磁束発生手段へ供給する電力を前記所定電力よりも小さくすることを特徴とする請求項３に記載の像加熱装置。
【請求項５】
前記温度検知手段の検知結果に基いて前記発熱体の温度を目標温度になるように前記磁束発生手段へ供給する電力を制御する電力制御手段を有することを特徴とする請求項３又は４に記載の像加熱装置。
【手続補正２】
【補正対象書類名】明細書
【補正対象項目名】００１０
【補正方法】変更
【補正の内容】
【００１０】
上記目的を達成するための本発明に係る像加熱装置の代表的な構成は、磁束発生手段と、前記磁束発生手段からの磁束により発熱する発熱体と、前記磁束発生手段へ電力を供給する電力供給手段と、を有し、前記発熱体の発熱により記録材上の像を加熱する像加熱装置において、前記磁束発生手段への給電開始から前記発熱体が所定温度に達するまでの待機時において、前記発熱体の昇温特性に応じて前記磁束発生手段へ供給する電力を変更する電力変更手段を有することを特徴とする像加熱装置、である。
【手続補正３】
【補正対象書類名】明細書
【補正対象項目名】００１６
【補正方法】変更
【補正の内容】
【００１６】
１０３はレーザースキャナであり、画像情報の時系列電気デジタル画素信号に対応して変調したレーザー光を出力して、回転する感光ドラム１０１の一様帯電処理面を走査露光Ｌする。これにより感光ドラム面に走査露光パターンに対応した静電潜像が形成される。
【手続補正４】
【補正対象書類名】明細書
【補正対象項目名】００１９
【補正方法】変更
【補正の内容】
【００１９】
転写ニップ部Ｔを出た記録材Ｐは感光ドラム１０１面から分離されて被定着材として定着装置１００に導入される。定着装置１００は導入された記録材Ｐ上の未定着トナー画像を固着画像として加熱加圧定着し、該記録材Ｐを排出搬送する。
【手続補正５】
【補正対象書類名】明細書
【補正対象項目名】００２２
【補正方法】変更
【補正の内容】
【００２２】
１は発熱体（加熱部材）としての円筒状の定着ローラー、２は加圧部材としての弾性加圧ローラーであり、両者１・２を上下に並行に配列して、且つ圧接させて定着ニップ部（加熱ニップ部）Ｎを形成させている。３は磁束発生手段としての励磁アセンブリであり、定着ローラー１の内部に挿入して配設してある。
【手続補正６】
【補正対象書類名】明細書
【補正対象項目名】００２８
【補正方法】変更
【補正の内容】
【００２８】
図４は励磁アセンブリ３の斜視模型図、図５は誘導加熱コイルと磁性コアの分解斜視模型図である。本実施例における励磁アセンブリ３は、ホルダー４、励磁手段としての誘導加熱コイル（励磁コイル）５、磁性コア６、ステー７等の組み立て体である。
【手続補正７】
【補正対象書類名】明細書
【補正対象項目名】００３４
【補正方法】変更
【補正の内容】
【００３４】
励磁アセンブリ３による定着ローラー１の誘導加熱は、ローラー内周に関して、誘導加熱コイル巻き線形態上からローラー円周上に対しては局部加熱する構造となっている。本実施例の場合には、図６のように、誘導加熱コイル巻き線形態上からローラー円周上に対してＤ部分とＥ部分の２箇所部における局部加熱となっている。そのため立ち上げや通紙等の定着ローラー加熱時には定着ローラー１を回転させてから加熱動作を行うことで、定着ローラーの円周方向に温度斑が出てしまう事を防いでいる。本実施例の場合には、局部加熱位置であるＤ部分に定着ニップ部Ｎを対応させてあり、もう一つの局部加熱位置であるＥ部分に定着ローラー１の表面温度を検出する後述する温度検出手段（温度検知手段）として第１と第２の温度検出素子（温度センサー）ＴＨ１とＴＨ２を配設してある。この第１と第２の温度検出素子ＴＨ１とＴＨ２による定着ローラー１の表面温度検出情報が電力制御印加手段としてのコントローラー３２するに入力する。
【手続補正８】
【補正対象書類名】明細書
【補正対象項目名】００３７
【補正方法】変更
【補正の内容】
【００３７】
図２において、Ａは装置に対する記録材Ｐの最大通紙幅（最大通紙サイズ）である。Ｂは最大通紙幅Ａよりも幅が小さい小サイズ記録材の通紙幅に対応している。なお、本実施例の装置においては記録材の通紙は中央基準搬送にてなされるものとする。Ｏはその中央基準搬送線（仮想線）である。Ｂ´・Ｂ´は小サイズ記録材を通紙したときに生じる非通紙部領域であり、最大通紙幅の記録材の最大通紙幅Ａと通紙した小紙サイズ記録材の通紙幅Ｂの差領域である。
【手続補正９】
【補正対象書類名】明細書
【補正対象項目名】００４１
【補正方法】変更
【補正の内容】
【００４１】
３１は電力供給手段としての誘導加熱電源（励磁回路、電力印加手段、電力変換装置）であり、加熱部材としての定着ローラー１内に挿入配設した励磁アセンブリ３の、励磁手段としての誘導加熱コイル５に交番電流を供給する。すなわち、誘導加熱電源３１は定着ローラー１を加熱する周波数、及び振幅を可変できる電力供給手段である。
【手続補正１０】
【補正対象書類名】明細書
【補正対象項目名】００５７
【補正方法】変更
【補正の内容】
【００５７】
暫時経過後、電力スイッチング素子ＴＲ１にオン信号が供給され、電力スイッチング素子ＴＲ１がオンすると、誘導加熱コイル５に順電流が流れ、誘導加熱コイル５に電流を蓄積する事を繰返すので、前記誘導加熱コイル５と相対し電磁気的に結合している負荷である定着ローラー１（１ａ）にも誘導電流が流れ、磁性導体１ａから成る定着ローラーは自分自身のローラー抵抗値に誘導電流の二乗を掛合わせたジュール熱を発生し定着ローラー１の内面が効率的に発熱するため、回転している定着ローラー全体が加熱される。
【手続補正１１】
【補正対象書類名】明細書
【補正対象項目名】００５８
【補正方法】変更
【補正の内容】
【００５８】
なお、此処で、スイッチング素子ＴＲ１及び誘導加熱コイル５（Ｌ１）に流れる電流の高周波成分はバイパスコンデンサーＣ１が充放電し平滑化をする。その為入力ノイズフィルターＮＦ１には、高周波電流は流れず交流入力電流波形のみが流れる。
【手続補正１２】
【補正対象書類名】明細書
【補正対象項目名】００６７
【補正方法】変更
【補正の内容】
【００６７】
定着ローラー１を構成させている磁性導体の材質としてＦｅ−Ｃｒ−Ｎｉなどによる鉄系合金等で定着温度近傍にキュリー点を持った磁性材料合金に於いては、キュリー点温度によりその発熱効率が変化する。具体的には上記合金組成が変化することにより合金比抵抗率が変化する。そのため図８に示されるように定着ローラーの種類、即ちキュリー点温度がそれぞれ異なる定着ローラー（１）〜（４）間において、供給電力は一定としたときの温度立上げ時の発熱プロファイルがそれぞれ違ってくる。即ち、キュリー点温度が異なると、定着ローラーの温度と目標温度から予め決定されている電力に対応した電力供給指令値によって電力供給すると立ち上がり時間は異なってしまう。一例としてＣｒ含有率が高い合金ほど、比抵抗率が鉄に比較し高く、キュリー点温度が低く、誘導加熱コイル５に流す加熱電流に対して誘導発熱量が多くなる。これは、ローラーの材質が変わることで、電源からみたコイルの負荷抵抗が変わる為、定着ローラーが目標温度に対して同じ温度差で同じ電力供給指令値であっても、実際にコイルへ供給される電力が異なってくるからである。
【手続補正１３】
【補正対象書類名】明細書
【補正対象項目名】００６８
【補正方法】変更
【補正の内容】
【００６８】
定着ローラー（１）は、鉄芯金の定着ローラー（鉄芯金ローラー）の発熱プロファイル（昇温特性）である。この鉄芯金ローラーのキュリー点温度は大変に高くて、使用範囲内においてキュリー温度に達することはない。
定着ローラー（２）は、本実施例の定着装置に所定に対応しているキュリー点ＴＲ３を持つ定着ローラーであり、キュリー点ＴＲ３を定着温度ＴＲ２よりも所定に高く設定しているものである。
【手続補正１４】
【補正対象書類名】明細書
【補正対象項目名】００８０
【補正方法】変更
【補正の内容】
【００８０】
この検知した定着ローラー温度ＴＲ（励磁アセンブリ３への所定電力の給電開始から所定時間経過後における第１の温度検出手段ＴＨ１の検知結果）がＴＲ（ｄ）以上であれば、コントローラー３２は、装着の定着ローラー１は、キュリー点が定着温度ＴＲ２よりも低い定着ローラー（４）であると判断する。この場合は、装着されている定着ローラー１は使用不可であるとして、装置動作を停止し（ＥＲＲ−ＳＴＯＰ）、表示部（不図示）に定着装置交換を促す警告メッセージを表示する。温度ＴＲ（ｄ）はキュリー点が所定の定着温度ＴＲ２よりも低いローラーであって、定着温度ＴＲ２に所定に近い温度にキュリー点ＴＲ３″がある定着ローラーが時点Ｔ１で示す表面温度を設定値としている。
【手続補正１５】
【補正対象書類名】明細書
【補正対象項目名】００８３
【補正方法】変更
【補正の内容】
【００８３】
検知した定着ローラー温度ＴＲがＴＲ（ｃ）に近い値であれば、コントローラー３２は、装着の定着ローラー１はキュリー点が定着ローラー（２）の定着温度ＴＲ２よりも高いけれども定着ローラー（２）のキュリー点ＴＲ３よも低い定着ローラー（３）であると判断し、その結果に基づき誘導加熱コイル５に印加する電力パルス幅をＰ１（ｃ）の値に変更しコイル印加電力Ｐｃｏｉｌを減少させる。
即ち、電力変更手段であるコントローラー３２は磁束発生手段である励磁アセンブリ３への給電開始から発熱体である定着ローラー１が所定温度に達するまでの待機時において、定着ローラー１の昇温特性に応じて励磁アセンブリ３へ供給する電力を変更する。
コントローラー３２は、励磁アセンブリ３への所定電力の給電開始から所定時間経過後における温度検出手段ＴＨ１の検知結果に応じて励磁アセンブリ３に供給する電力を変更する。より具体的には、前記所定時間経過時における定着ローラー１の温度が所定温度よりも低い場合は励磁アセンブリ３へ供給する電力を前記所定電力よりも大きくし、定着ローラー１の温度が所定温度よりも高い場合は励磁アセンブリ３へ供給する電力を前記所定電力よりも小さくする。
【手続補正１６】
【補正対象書類名】明細書
【補正対象項目名】００８６
【補正方法】変更
【補正の内容】
【００８６】
本実施例の像加熱装置の定着ローラー１は、像加熱装置に着脱可能であり、昇温特性の異なる定着ローラーが装着可能となっている。すなわち、本機種とは異なった機種に対応した定着ローラーが装着可能である。そのため、本来想定していなかった定着装置１００と画像形成装置本体との組み合わせなどが発生した時なども定着ローラー１の材質が容易に検知出来るため定着装置１００と画像形成装置本体とのミスマッチなどが発生した時でも未然にトラブルなどの発生を防止することが可能になる。
【手続補正１７】
【補正対象書類名】明細書
【補正対象項目名】００９５
【補正方法】変更
【補正の内容】
【００９５】
【図１】実施例１における画像形成装置の概略構成模型図
【図２】定着装置の一部切欠き正面模型図
【図３】定着装置の一部の拡大横断面模型図
【図４】励磁アセンブリの斜視模型図
【図５】誘導加熱コイルと磁性コアの分解斜視模型図
【図６】定着ローラーの加熱部分の説明図
【図７】誘導加熱方式の定着装置の定着制御系のブロック図
【図８】キュリー点温度が異なる各種定着ローラーの温度立上げ時（供給電力一定）の発熱プロファイル
【図９】装着されている定着ローラーの種別判別と、種別に応じた制御変更のシーケンス説明図
【図１０】制御フロー図
【手続補正１８】
【補正対象書類名】図面
【補正対象項目名】図２
【補正方法】変更
【補正の内容】
【図２】
2006171629.tif 000001
【手続補正１９】
【補正対象書類名】図面
【補正対象項目名】図７
【補正方法】変更
【補正の内容】
【図７】
2006171629.tif 000002
【手続補正２０】
【補正対象書類名】図面
【補正対象項目名】図８
【補正方法】変更
【補正の内容】
【図８】
2006171629.tif 000003
【手続補正２１】
【補正対象書類名】図面
【補正対象項目名】図１０
【補正方法】変更
【補正の内容】
【図１０】
2006171629.tif 000004
【手続補正２２】
【補正対象書類名】図面
【補正対象項目名】図１１
【補正方法】削除
【補正の内容】
【手続補正２３】
【補正対象書類名】図面
【補正対象項目名】図１２
【補正方法】削除
【補正の内容】
【手続補正２４】
【補正対象書類名】図面
【補正対象項目名】図１３
【補正方法】削除
【補正の内容】